(57)【特許請求の範囲】
【請求項１】
カバン等の主体１の開口に装着したファスナー２に近接させて、スライダ３の滑動方向と略直交する方向に進退自在であって当該進退方向に沿って一対のシャフト９ａ、９ａが一体に突設された係止体７と、係止体７の移動を停止するロック機構１０とを内部に設けた錠本体４を主体１に取り付け、ファスナー２に配設された一対のスライダ３、３の底部にシャフト９が入出可能な大きさの開口を有する係止リング１５を設け、両スライダ係止リング１５、１５にシャフト９、９を挿入してファスナー２を施錠する装置において、
係止体７は、その上端の操作レバー部８ｃを錠本体４の上面に形成した開口５ａから露出させて主体表面から操作レバー部８ｃを滑動させて進退操作可能に設けてあるとともに、ロック機構１０に面する側壁両角部は傾斜テーパ面８ｄ、８ｄとしてあり、
ロック機構１０は、周面に数字が刻設された複数のロック回転用ドラム１２を有する支持竿１１で回転自在に支持し、この支持竿１１の軸孔１１ａにカム部材１３の一端に突出した鍵軸１３ｃを挿通し、各回転用ドラム１２が所定番号に揃ったときはカム部材１３を係止体７の進退方向と交差する方向に進退自在とし、所定番号以外のときには移動不能となるように設けてあるとともに、カム部材１３をバネ１４で係止体７側に弾圧付勢し、両側を傾斜テーパ面１３ｂ、１３ｂとなした当該カム部材の頂部１３ａが上記係止体７の側壁に常時圧接するように設けてあり、
シャフト９、９がスライダ３の滑動領域外に位置するように係止体７を退避操作した状態で、係止体７のファスナーに面する側のテーパ面８ｄとカム部材頂部の一側のテーパ面１３ｂとが接合して係止体７が当該退避位置に保持され、
シャフト９、９がスライダ３の滑動領域内に位置するように係止体７を進出操作した状態で、係止体７の他側のテーパ面８ｄとカム部材頂部の他側のテーパ面１３ｂとが接合して係止体７が当該進出位置に保持され、
ロック機構１０をロック作動させてカム部材１３を移動不能とした状態では、係止体７の進退操作ができなくなるように構成されていることを特徴とするファスナー施錠装置。
【請求項２】
錠本体側からファスナー位置に至ってスライダ３、３が当接可能なように位置決め片５ｂを突設してなる請求項１に記載のファスナー施錠装置。
【発明の詳細な説明】
【０００１】
【発明の属する技術分野】
本発明は、開口にファスナーが装着されたカバン類や袋類等に利用することのできるファスナーの施錠装置に関する。
【０００２】
【従来の技術】
図１１は従来のファスナーの施錠装置の一例を示し、これは、ファスナー２１に配設された一対のスライダ２２，２２の内、一方のスライダ２２の引手片２２ａに施錠機構部２３を取り付け、これを他方のスライダ２２に重ね合わせ、施錠機構部２３の錠孔２３ａに他方のスライダ２２の突起部２２ｂを差し込むと共にプッシュピン２３ｂの係合端部を当該スライダの係合孔２２ｃに係合させ、施錠機構部２３のダイアルドラム２３ｃを任意に回転して施錠する。また、解錠するときにはダイアルドラム２３ｃを所定の番号に合致させ、スライド片２３ｄを引いて係合を解除するようになっていた。
【０００３】
【発明が解決しようとする課題】
従来の施錠装置は、施解錠する際に両手で施錠機構部２３とスライダ２２とを持たなければならず、操作性に劣るものであった。
また、施錠機構部２３がスライダ２２の引手片２２ａに取り付けられているため、運搬中、施錠機構部２３が壁等の躯体に衝突等したときに変形したり故障したりすることがあり、さらに、このように施錠機構部２３が露出していることは人目につきやすく、且つ施錠状態が一目瞭然となって防犯上においてもトラブルを引き起こしやすい等の問題があった。
【０００４】
本発明は従来の技術の有するこのような問題点に鑑みてなされたものであり、その目的とするところは、施解錠の操作をワンタッチで簡単に行え、防犯効果に優れ、構造も簡易なファスナー施錠装置を提供することにある。
【０００５】
【課題を解決するための手段】
上記課題を解決するため本発明のファスナー施錠装置は、カバン等の主体の開口に装着したファスナーに近接させて、スライダの滑動方向と略直交する方向に進退自在であって当該進退方向に沿って一対のシャフトが一体に突設された係止体と、係止体の移動を停止するロック機構とを内部に設けた錠本体を主体に取り付け、ファスナーに配設された一対のスライダの底部にシャフトが入出可能な大きさの開口を有する係止リングを設け、両スライダ係止リングにシャフトを挿入してファスナーを施錠する装置において、係止体は、その上端の操作レバー部を錠本体の上面に形成した開口から露出させて主体表面から進退操作可能に設けてあるとともに、ロック機構に面する側壁両角部は傾斜テーパ面としてあり、ロック機構は、周面に数字が刻設された複数のロック回転用ドラムを有する支持竿で回転自在に支持し、この支持竿の軸孔にカム部材の一端に突出した鍵軸を挿通し、各回転用ドラムが所定番号に揃ったときはカム部材を係止体の進退方向と交差する方向に進退自在とし、所定番号以外のときには移動不能となるように設けてあるとともに、カム部材をバネで係止体側に弾圧付勢し、両側を傾斜テーパ面となした当該カム部材の頂部が上記係止体の側壁に常時圧接するように設けてあり、シャフトがスライダの滑動領域外に位置するように係止体を退避操作した状態で、係止体のファスナーに面する側のテーパ面とカム部材頂部の一側のテーパ面とが接合して係止体が当該退避位置に保持され、シャフトがスライダの滑動領域内に位置するように係止体を進出操作した状態で、係止体の他側のテーパ面とカム部材頂部の他側のテーパ面とが接合して係止体が当該進出位置に保持され、ロック機構をロック作動させてカム部材を移動不能とした状態では、係止体の進退操作ができなくなるように構成されている。
【０００６】
上記構成において、本体には、スライダを所定位置で固定するための位置決め片を、ファスナー位置迄突設することが好ましい。
【０００７】
【発明の実施の形態】
以下、本発明の好適な一実施例を図面に基づいて説明する。
図１は本例のファスナー施錠装置を利用したカバンの要部外観図、図２は本例装置の錠本体の正面図及び側面図、図３は図２のＩＩＩ−ＩＩＩ  線断面図であり、図中、符号１は開閉式の開口を有するカバンやバッグ類，袋類等の主体、２は主体１の開口に縫着されたファスナー、３，３はファスナー２に向き合わせに配設されたスライダ、４はファスナー２の近傍の主体１の枠板１ａに取り付けられていて両スライダ３，３を施解錠する錠本体であり、７，１０はこの錠本体４内に設置された係止体及びロック機構である。
【０００８】
錠本体４は、主体１の表面に露出する上側枠部５と主体１の内部に埋設される下側枠部６とで構成され、上側枠部５は上面に係止体７の操作レバー部８ｃとロック機構１０のロック用回転ドラム１２の露出用開口５ａ，５ａを穿設し、ファスナー２が縫着されている側の側面にはファスナー２の縫着方向と略直交しファスナー２上を横切るようにして延びる位置決め片５ｂを設けて形成してあり、また、下側枠部６は同じくファスナー２が縫着されている側の側面部に係止体７に一体に設けられたシャフト９を挿通する孔部（図示せず）を有し、同枠部６の底部にはロック機構１０の設定レバー１１ｂの端部が露出する孔部６ａを設けて形成してある。
【０００９】
係止体７は、図４に示すように、金属材又はプラスチックを用い、薄肉ブロック板状の基部８と、基部８の一側面より適宜な長さを有して突出させた一対のシャフト９，９とにより側面視略Ｌ字型に一体に形成し、錠本体４内でファスナー２の縫着方向と略直交する方向に摺動し得るように設置してある。
【００１０】
さらに詳しくは、係止体７の基部８は、その底面から肩段部８ａまでが錠本体４内に嵌入可能な高さを有し、その中央部に錠本体４内に突出形成された案内突起５ｃが挿通する連通孔８ｂを穿設し、肩段部８ａ上には上端に波形に溝を刻設してなる操作レバー部８ｃを突設し、当該係止体７を錠本体４内に設置したときにロック機構１０側に面する側壁両角部を傾斜テーパ面８ｄ，８ｄとなして形成してある。
【００１１】
また、係止体７に一体形成されたシャフト９，９は、基部８の側面部８ｅの両端より、当該面部８ｅに略直交させ、且つ基部８の底面に対して水平となるようにして適宜な長さで突設させ、両先端部９ａ，９ａを後述のスライダ３の係止リング１５に挿入し易いように若干尖らして形成してある。両シャフト９，９は、係止体７をファスナー２に最も近づけた位置で当該シャフトの先端部９ａがファスナー２と交差し、他方、係止体７をファスナー２から最も遠ざけた位置（図１参照）で当該シャフトの先端部９ａがスライダ１の滑動領域から退避し得る長さに設定してある。なお、基部８とシャフト９とを別々に形成し、その後両部材を連結してもよい。
【００１２】
ロック機構１０は、図５に示すように、支持竿１１、支持竿１１に回動自在に支持されていて外周面に０〜９の数字が刻設されたロック用回転ドラム１２，１２，１２、両側を傾斜テーパ面１３ｂ，１３ｂとなした頂部１３ａに支持竿１１の軸孔１１ａに挿通可能な鍵軸１３ｃを固着して形成したカム部材１３及び上記鍵軸１３ｃに螺合させた圧縮バネ１４より構成され、カム部材１３の頂部１３ａを係止体７の壁部に常時当接させて錠本体４内に設置してある。
【００１３】
さらに詳しくは、支持竿１１は各回転ドラム１２の外周面の一部を前記錠本体４の露出開口５ａより露出させると共に一端部の下面に設けた設定レバー１１ｂの先端を錠本体４の孔部６ａより露出させて、且つ錠本体４内で軸方向に摺動し得るように設けてあり、上記軸孔１１ａには各回転ドラム１２の回転に連動して回動する鍵溝（図示せず）が形成してある。上記設定レバー１１ｂは、各回転ドラム１２のロック解除番号を初期設定するためのもので、常時は図３に示す如く錠本体４の一端に位置し、図６に示す矢符方向に支持竿１１を移動させた状態で各回転ドラム１２を回動し、露出開口５ａ上で任意の番号を指定すると、以降、その番号で軸孔１１ａの各回転ドラム１２の鍵溝が揃うように設定できるようになっている。
【００１４】
カム部材１３の鍵軸１３ｃ上面には、上記各回転ドラム１２の鍵溝に挿通可能な形状の係止突起１３ｄ，１３ｄ，１３ｄが突設してあり、この鍵軸１３ｃを支持竿１１の軸孔１１ａに挿通し、各回転ドラム１２が指定番号に揃ったときに当該孔内を伸縮移動し、指定番号以外のときには所定位置に固定されるように設けてある。
【００１５】
圧縮バネ１４は、支持竿１１の端部とカム部材１３の頂部１３ａとの間に、カム部材１３を支持体７側に常時弾圧付勢するように設置してある。
【００１６】
上記錠本体４は、主体１の枠板１ａであってファスナー２の近傍に主体１の内外を連通する貫通孔を形成し、前記上下両枠部５，６で当該貫通孔の周縁を挟み込み、両枠部の端部同士を堅固に係合させて当該部分に固着してある。
【００１７】
係止体７は、前記基部８の孔部８ｂ内に前記錠本体４の案内突起５ｃを嵌入し、操作レバー部８ｃを前記露出開口５ａより外側に露出させて錠本体４内に摺動自在に設置されており、ロック機構１０は、錠本体４内に支持された支持竿１１の軸孔１１ａにカム部材１３の鍵軸１３ｃを、上記回転ドラム１２のｃ溝に係合突起１３ｄを合致させて挿通し、カム部材１３の頂部１３ａに圧縮バネ１４を装填し、このカム部材１３の頂部１３ａを係止体７の基部８の壁部に当接させ、且つ上記圧縮バネ１４の弾発力によって係止体７を弾圧付勢するように設置してある。
【００１８】
図７は本例の施錠装置で利用するスライダ３を示しており、これは、スライダ３の底部に、上記係止体７のシャフト９が嵌入可能な大きさを有し、且つ開口方向をスライダ３の滑動方向と略垂直に設けた係止リング１５を一体に形成したものである。この係止リング１５は、スライダ３と一体に形成する他、スライダ３と別体に形成し、これを後加工で固着するようにしてもよく、シャフト９が嵌入可能であれば適宜な形状で形成することができる。
【００１９】
本例の施錠装置は以上の各部材からなり、以下の如く動作する。
先ず、解錠時に、引手片３ａ，３ａを摘み、スライダ３，３を滑動させてファスナー２を閉じるが、この際、錠本体４から突出する位置決め片５ｂがファスナー２を横切るように配設されているので、位置決め片５ｂの両側部に両スライダ３の先端部が当接し、当該位置に位置決めされる（図１参照）。
【００２０】
図８（Ａ），（Ｂ）は、ファスナー２を閉じ、スライダ３を位置決め片５ｂに当接させた状態の主体２の側断面及び錠本体の内面をそれぞれ示しているが、この状態で、係止体７は錠本体４内でファスナー２から最も離れ、シャフト９の先端部９ａはスライダ３の滑動領域外に位置するので、スライダ３の作動に何等支障はなく、また、係止体７は、基部８のテーパ面８ｄとカム部材１３の頂部１３ａのテーパ面１３ｂとが接合した状態で、圧縮バネ１４の弾発力を受けたカム部材１３に係合しており、図示した退避位置に保持される。
【００２１】
次に、係止体７の操作レバー部８ｃを操作して施錠を行なう。
先ず、回転ドラム１２の数字を指定のものに合わせ、カム部材１３が支持竿１１内を伸縮移動し得るように設定する。
【００２２】
この状態で操作レバー部８ｃをファスナー２側に押すと、係止体７は、基部８のテーパ面８ｄがカム部材１３の頂部１３ａのテーパ面１３ｂを滑るようにしてカム部材１３を押し退け、そのまま基部８の平坦状壁面でカム部材１３の頂部１３ａの平坦部を押圧しながら摺動移動する。一方、係止体７と一体のシャフト９も同方向に摺動移動し、スライダ３の底部に設けた係止リング１５内に、先端部９ａから徐々に嵌入してゆく。
【００２３】
そして、図１０に示すように、操作レバー部８ｃを他側迄移動させると、基部８の他側のテーパ面８ｄとカム部材１３の他側のテーパ面１３ｂとが接合し、係止体７は圧縮バネ１４の弾発力を受けて当該退避位置に保持される。一方、シャフト９はスライダ３の係止リング１５内に深く嵌入し、スライダ３が当該位置に固定される。
【００２４】
この状態で、各回転ドラム１２を任意に回動させると、各回転ドラム１２の鍵溝とカム部材１３の係合突起１３ｃの位置がずれるためカム部材１３は伸縮移動できなくなって当該位置に固定される。これにより係止体７が位置固定され、操作レバー部８ｃの移動操作ができなくなり、施錠が完了する。
【００２５】
また、解錠するときは、図１０に示した状態で各回転ドラム１２を指定番号に合わせれば、カム部材１３が伸縮可能となり、操作レバー部８ｃをファスナー２から遠ざかる方向に移動させ、図８に示した所期の位置に戻せば、シャフト９がスライダ３の係止リング１５から引き抜かれ、スライダ３が滑動可能となって、ファスナー２を開くことができる。
【００２６】
上記実施例において、係止体７を位置固定させる手段として複数の回転ドラム１２の数字を合わせるロック機構１０を用いたが、板バネにより弾発力を利用したり、別体のキーを挿入したりして施解錠を行なうもの等、適宜構造のロック機構を用いることができる。また、係止体７の移動は操作レバー８ｃを手動により操作して行ったが、板バネやモータ、アクチュエータ等の駆動部材とスイッチ等の操作部材とを組み合わせて自動で行われるように構成してもよい。
【００２７】
また、錠本体４側から位置決め片５ｂが突設してあればシャフト９の係合が確実容易に行えて好ましいが、位置決め片５ｂが設けてなくても施解錠は可能である。
【００２８】
なお、本実施例は、一つのファスナーに配設された一対のスライダを同時に施錠する態様であるが、一つのスライダを施錠する態様としてもよい。
【００２９】
【発明の効果】
以上のように、本発明のファスナー施錠装置は、スライダの底部に係止リングを設け、このリング内に嵌入可能なシャフトを、ファスナーに近接させて進退自在に設けたので、スライダを滑動させてファスナーを閉塞後、シャフトを平行に移動させるという簡単な操作で施錠が完了し、また、解錠時は反対方向に平行移動させればよく、操作性に優れたものである。
【００３０】
また、これら施錠のための係止リングやシャフト等の各部材は、カバン等の主体の内側に配設されているので、運搬中にファスナー縫着部分が壁等に衝突しても壊れ難く、施錠構造が外側から見えないため解錠し難く十分な防犯効果を期待することができる。
【００３１】
上記シャフトは外部に操作レバー部を設けた係止体と一体に設けることによって、より安定した操作性が得られ、また、シャフトの進退に応じて作動する適宜のロック機構を装備することで、施錠の信頼性をより高めることができる。また、錠本体側から位置決め片が設けてあれば、シャフトを係止リングに確実に挿通させることができ、より好ましい。
【図面の簡単な説明】
【図１】本発明の一実施例のファスナー施錠装置を利用したカバンの要部外観図である。
【図２】（Ａ）は図１の施錠装置の錠本体の正面図、（Ｂ）はその側面図である。
【図３】図２（Ａ）のＩＩＩ−ＩＩＩ  線断面図である。
【図４】（Ａ）は係止体の外観図、（Ｂ）はその平面図である。
【図５】（Ａ）はロック機構の分解斜視図、（Ｂ）は同機構を構成するカム部材の平面図である。
【図６】図１のロック機構の動作を説明するための図である。
【図７】（Ａ）は図１の施錠装置のスライダの外観図、（Ｂ）はその側面図である。
【図８】図１の施錠装置の解錠時の動作を説明するための図であり、（Ａ），（Ｂ）は解錠時の主体の側断面及び錠本体の内面である。
【図９】図１の施錠装置の解錠時の動作を説明するための図であり、（Ａ），（Ｂ）は係止体移動時の主体の側断面及び錠本体の内面である。
【図１０】図１の施錠装置の解錠時の動作を説明するための図であり、（Ａ），（Ｂ）は施錠時の主体の側断面及び錠本体の内面である。
【図１１】従来のファスナー施錠装置の一例を示す要部外観図である。
【符号の説明】
１      主体
２      ファスナー
３      スライダ
４      錠本体
５      上側枠部
５ｂ    位置決め片
６      下側枠部
７      係止体
８      基部
９      シャフト
１０      ロック機構
１１      支持竿
１２      回転ドラム
１３      カム部材
１４      圧縮バネ
１５      係止リング
【図１】
0003578847.tif 000002
【図２】
0003578847.tif 000003
【図３】
0003578847.tif 000004
【図４】
0003578847.tif 000005
【図５】
0003578847.tif 000006
【図６】
0003578847.tif 000007
【図７】
0003578847.tif 000008
【図８】
0003578847.tif 000009
【図９】
0003578847.tif 000010
【図１０】
0003578847.tif 000011
【図１１】
0003578847.tif 000012